(57)【特許請求の範囲】
【請求項１】
穀類中に混在している屑粒を排出する回転選別網筒と、この回転選別網筒の内面に沿わせて被選別穀類を揚上移動させる回転螺旋体とで選別部を成す穀類選別機において、
選別部の外装体は、その周面の一面が開口していて外装体に対してヒンジ構造により開閉自在の蓋体により開閉可能であって、回転選別網筒の上端部は、その外周が３つのガイドローラで支持されており、上記３つのガイドローラのうちの２つを外装体内に、かつ１つを蓋体の内面に備えており、回転選別網筒の上端部外周を支持する３つのガイドローラは、それらの軸心が回転螺旋体の回転軸心からそれぞれ等距離に位置し、かつ３つのガイドローラの軸心を結んで二等辺三角形が描かれる位置にあるとともに、３つのガイドローラの軸心を結んで描かれる二等辺三角形の相等しい二辺のなす頂点が蓋体側にあることを特徴とする穀類選別機。
【発明の詳細な説明】
【０００１】
【発明の属する技術分野】
本発明は、穀類中に混在している屑粒を選別除去して整粒を得るための穀類選別機に関する。
【０００２】
【従来の技術】
回転選別網筒の内部に回転螺旋体を設けて、被選別穀類を回転螺旋体で揚上移動させながら回転選別網筒により屑粒を選別排出する穀類選別機は、例えば、特開２０００−１４２９００号公報、特開２０００−２８６８２４号公報、特開平１１−３１９７１４号公報または特開平１１−３００２８２号公報に記載されている。また、この種の穀類選別機において、回転選別網筒の上端部をガイドローラで支持する構成は、上記特開平１１−３１９７１４号公報または特開平１１−３００２８２号公報に記載されている。
【０００３】
【発明が解決しようとする課題】
従来のこの種の穀類選別機においては、上記特開平１１−３１９７１４号公報または特開平１１−３００２８２号公報にも示されており、図９に示すように、回転選別網筒ａの上端部を支持するガイドローラｂは、回転選別網筒ａの上端部外周を取り囲む位置に少なくとも４つ備えており、その少なくとも４つのガイドローラｂは、全て選別部の外装体ｃと一体を成す上部基板ｄに取り付ていた。
【０００４】
ところで、回転選別網筒は、その内部に設けた回転螺旋体の軸心と同心状に回転するものであるから、回転選別網筒の上端部外周を支持するガイドローラは、螺旋体の軸心を囲んで３つあれば必要にして十分であるとの知見に基づき、種々実験を重ねた結果、本発明は、次のように構成の簡素化と機能の向上を図った穀類選別機を提供するに至っている。
【０００５】
【課題を解決するための手段】
すなわち、本発明の請求項１に係る穀類選別機は、穀類中に混在している屑粒を排出する回転選別網筒と、この回転選別網筒の内面に沿わせて被選別穀類を揚上移動させる回転螺旋体とで選別部を成す穀類選別機において、選別部の外装体は、その周面の一面が開口していて外装体に対してヒンジ構造により開閉自在の蓋体により開閉可能であって、回転選別網筒の上端部は、その外周が３つのガイドローラで支持されており、上記３つのガイドローラのうちの２つを外装体内に、かつ１つを蓋体の内面に備えており、回転選別網筒の上端部外周を支持する３つのガイドローラは、それらの軸心が回転螺旋体の回転軸心からそれぞれ等距離に位置し、かつ３つのガイドローラの軸心を結んで二等辺三角形が描かれる位置にあるとともに、３つのガイドローラの軸心を結んで描かれる二等辺三角形の相等しい二辺のなす頂点が蓋体側にあることを特徴とするものである。
【０００６】
【発明の実施の形態】
図１は本発明の一実施の形態に係る穀類選別機の一部を示す斜視図、図２はさらにその一部を示す斜視図、図３は穀類選別機の全体を示す一部破断側面図、図４は回転選別網筒とガイドローラの位置関係を説明する概略平面図、図５は他の形態に係る回転選別網筒とガイドローラの位置関係を説明する概略平面図、図６は他の形態に係る穀類選別機の一部を示す斜視図、図７は同上斜視図、図８は外装体から回転螺旋体および回転選別網筒を取り外す態様を示す斜視図である。
【０００７】
図１ないし図３に例示する穀類選別機１は、穀類中に混在している屑粒を選別除去し、選別された穀類を所定重量ごとに袋詰めする計量機能を備えたものである。穀類選別機１は、その外装体２内に、回転選別網筒３とそれに内装された回転螺旋体４とで構成した選別部５を備えており、選別部５の回転螺旋体４は、減速機構を介して電動機６により回転駆動されるものである。回転選別網筒３は、さらに減速機構を介して電動機６によって回転螺旋体４より低速でかつ逆方向に回転駆動されるように構成されており、選別部５における穀類の選別率は、回転選別網筒３および回転螺旋体４の回転数により制御される。７は被選別穀類の供給ホッパ、８は選別穀類の精粒を一時貯留するタンクであり、その選別穀類の送出口９には自動開閉シャッタ１０が備えられている。上記送出口９の下方には重量計１１を配置して、その上にセットした収納袋１２に送出口９から送出される選別穀類を予め設定してある重量が重量計１１で計量されるまで収納されると、自動開閉シャッタ１０が閉作動するように成っている。
【０００８】
本発明に係る穀類選別機１においては、その選別部５の外装体２は四角筒状であって、その上面の蓋体１３は着脱可能であり、かつ背面が開口していて蓋体１４により開閉可能と成っている。上面の蓋体１３には回転螺旋体４の上部軸１５の軸受１６が設けられている。
【０００９】
外装体２内の上部には、それと一体を成す上部基板１７があり、この上部基板１７には、外装体２内の背面側開口からみて奥側に、回転選別網筒３の上端部外周を支持する２つのガイドローラ１８，１９が取り付けられている。また、背面の蓋体１４には、その裏面に回転選別網筒３の上端部外周を支持する２つのガイドローラ２０が取り付けられており、外装体２の背面の開口を蓋体１４で閉じると、選別回転網筒３の上端部外周は、外装体２内側の２つのガイドローラ１８，１９と蓋体１４側の１つのガイドローラ２０により３点で支持される。すなわち、回転選別網筒３の上端部外周を支持する３つのガイドローラ１８，１９，２０は、図４に示すように、それらの軸心１８ａ，１９ａ，２０ａが回転螺旋体４の回転軸心Ｏからそれぞれ等距離に位置し、かつ３つのガイドローラ１８，１９，２０の軸心１８ａ，１９ａ，２０ａを結んで二等辺三角形ｂが描かれる位置にある。なお、この実施の形態においては、ガイドローラ１８，１９に対してガイドローラ２０は小径である。
【００１０】
図５には３つのガイドローラ１８，１９，２０を、それらの軸心１８ａ，１９ａ，２０ａが回転螺旋体４の回転軸心Ｏからそれぞれ等距離に位置し、かつ３つのガイドローラ１８，１９，２０の軸心１８ａ，１９ａ，２０ａを結んで正三角形ｃが描かれる位置にあるようにした例を示している。このように３つのガイドローラ１８，１９，２０の軸心１８ａ，１９ａ，２０ａを結んで正三角形ｃを描くように構成すれば、回転選別網筒３の回転軸心Ｏを中心とする回転に対して３つのガイドローラ１８，１９，２０の受ける荷重が等しくなるので、回転の平衡性が保たれ、回転に伴う振動の発生を大いに抑制することができる。
【００１１】
蓋体１４は、図６に示すように、外装体２の背面の開口を開閉する蓋体２４をヒンジ２５，２５により外装体２の開口一側端縁に装着した構成とすることができる。すなわち、この構成によれば、外装体２の背面の開口を蓋体２４の開閉操作により容易に開閉することができるので、ガイドローラ２０の取り付けや目詰防止板２３の交換などのほか、外装体２を開いて選別部５の動作状態を点検するなどの場合にも便利である。回転螺旋体４の上端部には、上部基板１７の上面で回転する整粒掻き出し羽根２２を備えている。蓋体１４の裏面には、回転選別網筒３の外周に圧接して網目の目詰まりを防止するゴムその他の可撓性の目詰防止板２３を備えている。
【００１２】
なお、穀類選別機１は、図７に示すように、外装体２の上面蓋１３をさらにヒンジ２６，２６により開閉自在とすることができるものである。
【００１３】
本発明に係る穀類選別機１において、背面の蓋体１４を開けば、回転選別網筒３の上端部外周のガイドローラ２０による支持がはずれ、外装体２の背面が解放される。そして上面の蓋体１３を外せば、上面も解放されるので、図８に示すように、回転螺旋体４を上方に抜き取り、次いで回転選別網筒４も容易に取り外すことができる。このため、回転選別網筒３および回転螺旋体４の保守点検、交換などを容易かつ迅速に行うことができる。また、回転螺旋体４および回転選別網筒３を取り外せば、外装体２内が空洞になるので、内部の清掃が容易にでき、かつその際に内部の損傷なども確実に点検することができる。なお、取外した回転螺旋体４および回転選別網筒３は、取り外しと逆の手順で容易に組み込むことができる。
【００１４】
【発明の効果】
本発明によれば、穀類中に混在している屑粒を排出する回転選別網筒と、この回転選別網筒の内面に沿わせて被選別穀類を揚上移動させる回転螺旋体とで選別部を成す穀類選別機において、選別部の外装体は、その周面の一部が開口していて蓋体により開閉可能であって、回転選別網筒の上端部は、その外周が３つのガイドローラで支持されており、上記３つのガイドローラのうちの２つを外装体内に、かつ１つを蓋体の内面に備えていることにより、構成の簡素化と機能の向上を図った穀類選別機を得ることができる。
【図面の簡単な説明】
【図１】  本発明の一実施の形態に係る穀類選別機の一部を示す斜視図である。
【図２】  図１のさらにその一部を示す斜視図である。
【図３】  穀類選別機の全体を示す一部破断側面図である。
【図４】  回転選別網筒とガイドローラの位置関係を説明する概略平面図である。
【図５】  他の形態に係る回転選別網筒とガイドローラの位置関係を説明する概略平面図である。
【図６】  他の形態に係る穀類選別機の一部を示す斜視図である。
【図７】  同上斜視図である。
【図８】  外装体から回転螺旋体および回転選別網筒を取り外す態様を示す斜視図である。
【図９】  本発明の課題を説明するための穀類選別機の一部を示す斜視図である。
【符号の説明】
１  穀類選別機
２  外装体
３  回転選別網筒
４  回転螺旋体
５  選別部
６  電動機
７  供給ホッパ
８  タンク
９  送出口
１０  自動開閉シャッタ
１１  重量計
１２  収納袋
１３  上面の蓋体
１４  背面の蓋体
１５  上部軸
１６  軸受
１７  上部基板
１８，１９，２０  ガイドローラ
１８ａ，１９ａ，２０ａ  軸心
２１  ネジ
２２  整粒掻き出し羽根
２３  目詰防止板
２４  蓋体
２５，２５  ヒンジ
２６，２６  ヒンジ
Ｏ  回転螺旋体の回転軸心
ｂ  二等辺三角形
ｃ  正三角形
【図１】
0003686979.tif 000002
【図２】
0003686979.tif 000003
【図３】
0003686979.tif 000004
【図４】
0003686979.tif 000005
【図５】
0003686979.tif 000006
【図６】
0003686979.tif 000007
【図７】
0003686979.tif 000008
【図８】
0003686979.tif 000009
【図９】
0003686979.tif 000010